(57)【特許請求の範囲】
【請求項１】
第一プーリと第二プーリの間に、周長方向に伸縮可能なベルトを、前記第一プーリと前記第二プーリの軸間距離を固定したまま巻掛けるに際し、前記第一プーリの外周に設置して使用する、ベルト取付治具であって、
前記第一プーリの外周及び両側面を覆って取り付けられる取付部と、
前記取付部から前記第一プーリの一方の側面方向であって、前記第一プーリ外周よりも内径側で突設され、ベルトを保持するベルト保持部と、
を備え、
前記取付部は、前記第一プーリの外周に沿う外周部と、前記外周部の一端から前記第一プーリ側面に沿う第一フランジ部と、前記外周部の他端から前記第一プーリ側面に沿う第二フランジ部と、から成り、
前記ベルト保持部は、前記ベルトの側面が前記第一フランジ部に当たって前記第一プーリの外周に導入される際に、前記ベルト保持部に保持された前記ベルトの位置と前記第一プーリの外周部に導入された前記ベルトの位置との間に段差が形成されるように突設されており、
更に、前記取付部において、前記外周部の外周方向の一方の端部には、前記ベルトを前記第一プーリの外周に導入する切欠部が設けられ、前記第一フランジ部及び前記第二フランジ部は、前記切欠部を挟むように張り出しており、
前記ベルト保持部は、前記取付部の中央よりも前記切欠部側に突設されていることを特徴とするベルト取付治具。
【請求項２】
前記ベルト保持部は、前記第一プーリの側面に対して、垂直又は前記第一プーリの径外方向に鋭角を成すように傾斜していることを特徴とする請求項１に記載のベルト取付治具。
【請求項３】
前記第一プーリの側面に当接する当接面が前記第一フランジ部よりも内径側に配置された補強部を備えたことを特徴とする請求項１又は２に記載のベルト取付治具。
【請求項４】
前記外周部の裏面に設けられ、前記第一プーリの外周面に設けられた溝に嵌合する嵌合部を備えたことを特徴とする請求項１〜３の何れかに記載のベルト取付治具。
【発明の詳細な説明】
【技術分野】
【０００１】
本発明は、ベルト取付治具に関する。詳しくは、第一プーリと第二プーリの間へのベルトの巻掛け技術に関する。
【背景技術】
【０００２】
一般に、複数のプーリにベルトを巻掛けてなるベルト伝動機構では、プーリ間で確実に動力を伝達させるために装着対象であるプーリ間のレイアウト周長よりもベルト周長を短くしてベルトに強い張力がかかるようになっている。
【０００３】
このようにプーリ間のレイアウト周長よりもベルト周長が短いベルトをプーリに巻掛ける作業は手間がかかることがある。この手間を軽減させるために、特許文献１並びに特許文献２には、ベルトを周方向に伸長させてプーリ外周に巻掛ける作業を補助する治具が開示されている。
【０００４】
例えば、特許文献１に開示されているベルト取付治具４０は、円錐形部材４３、傾斜平滑面４４、弓形の脚部を有するガイドエリア４５、直角に曲げられたフラップ４６からなり、円錐形部材４３とガイドエリア４５にベルト２７を載せた状態でプーリ６０に沿って移動させることでベルト２７を装着するものである。
【先行技術文献】
【特許文献】
【０００５】
【特許文献１】米国特許第７２４７１１０号明細書
【特許文献２】米国特許出願公開第２０１０／０１７３７３７号明細書
【発明の概要】
【発明が解決しようとする課題】
【０００６】
しかしながら、このベルト取付治具４０は、円錐形部材４３や傾斜平滑面４４や弓形の脚部を有するガイドエリア４５など複雑な構造をした部品により構成されている。また、このベルト取付治具４０は、円錐形部材４３がプーリ６０の外周から径外方向に張り出した状態でプーリ６０に取り付けられることになる。そうすると、ベルト２７をプーリ６０に巻掛けるに際して、ベルト２７がプーリ６０の外周から張り出した円錐形部材４３を経由してプーリ６０の外周に導入される分だけベルト２７に余分な張力が作用してしまう。その結果、ベルト２７をプーリ６０に巻掛ける際に余分な力をかけることになり、ベルト２７をプーリ６０に巻掛け難くしてしまう。
【０００７】
そこで、本発明は、上記のような課題を解決するためになされたものであり、その目的は、ベルト取付治具をコンパクトな構成にするとともに、プーリへのベルト取付時に作用するベルトの張力を下げて取付性を向上させたベルト取付治具を提供することにある。
【課題を解決するための手段】
【０００８】
上記課題を解決するための第１の発明は、第一プーリと第二プーリの間に、周長方向に伸縮可能なベルトを、前記第一プーリと前記第二プーリの軸間距離を固定したまま巻掛けるに際し、前記第一プーリの外周に設置して使用する、ベルト取付治具であって、前記第一プーリの外周及び両側面を覆って取り付けられる取付部と、前記取付部から前記第一プーリの一方の側面方向であって、前記第一プーリ外周よりも内径側で突設され、ベルトを保持するベルト保持部と、を備え、前記取付部は、前記第一プーリの外周に沿う外周部と、前記外周部の一端から前記第一プーリ側面に沿う第一フランジ部と、前記外周部の他端から前記第一プーリ側面に沿う第二フランジ部と、から成り、前記ベルト保持部は、前記ベルトの側面が前記第一フランジ部に当たって前記第一プーリの外周に導入される際に、前記ベルト保持部に保持された前記ベルトの位置と前記第一プーリの外周部に導入された前記ベルトの位置との間に段差が形成されるように突設されており、更に、前記取付部において、前記外周部の外周方向の一方の端部には、前記ベルトを前記第一プーリの外周に導入する切欠部が設けられ、前記第一フランジ部及び前記第二フランジ部は、前記切欠部を挟むように張り出しており、前記ベルト保持部は、前記取付部の中央よりも前記切欠部側に突設されていることを特徴としている。
【０００９】
上記の構成によれば、取付部の外周部両端に設けられた第一フランジ部及び第二フランジ部を第一プーリの両側面に沿わせることにより第一プーリの外周に当該ベルト取付治具を安定して設置することができる。
そして、ベルト保持部が、取付部の第一プーリの一方の側面側において、第一プーリ外周よりも内径側で突設されているため、ベルトをベルト保持部を介して第一プーリの外周に導入する際に、ベルトの内周面がベルト保持部に当たり、ベルトの側面が第一フランジ部に当たって、ベルト保持部に保持されたベルトの位置と第一プーリの外周部に導入されたベルトの位置との間で段差を形成するようにして第一プーリの外周に導入することができる。
これによれば、特許文献１や特許文献２に挙げたように、ベルト保持部が第一プーリの外周よりも径外方向に張り出した形状をしているベルト取付治具に比べて、ベルトを第一プーリ及び第二プーリに巻掛ける際のベルトの張力を下げることができる。これにより、ベルトを第一プーリ及び第二プーリに巻掛ける際に必要な力を低減して、ベルトを巻掛け易くすることができる。
また、当該ベルト取付治具は、第一プーリの外周に設置した状態で、ベルト保持部が第一プーリの径外方向に張り出していないので、第一プーリの外周側に物理的空間の余裕がない場合でも使用が可能である。
【００１０】
また、第１の発明は、ベルト取付治具の前記取付部において、前記外周部の外周方向の一方の端部には、前記ベルトを前記第一プーリの外周に導入する切欠部が設けられ、前記第一フランジ部及び前記第二フランジ部は、前記切欠部を挟むように張り出しており、前記ベルト保持部は、前記取付部の中央よりも前記切欠部側に突設されていることを特徴としている。
【００１１】
上記の構成によれば、外周部の外周方向の一方の端部には、ベルトを第一プーリの外周に導入する切欠部が設けられているため、ベルトを第一プーリに巻掛ける際に、ベルトをベルト保持部から切欠部を通らせて第一プーリの外周に導入することができる。これにより、切欠部がない場合に比べて、ベルトをベルト保持部から第一プーリの外周に沿わせるまでの距離が短くなるので、ベルトを巻掛ける際のベルトに作用する張力を低くすることができ、巻掛け時の取付性を向上させることができる。また、ベルトをベルト保持部から切欠部を通らせて直ぐに第一プーリの外周に導入することができるので、ベルトがベルト取付治具から滑り外れるのを防止することができる。
【００１２】
また、第一フランジ部及び第二フランジ部は、切欠部を挟むように張り出している。このため、第一フランジ部及び第二フランジ部の張り出し部分が第一プーリの両側面に当接することになり、安定してベルト取付治具を第一プーリに固定することができる。また、ベルトがベルト保持部から第一プーリの縁を跨いで切欠部を通って第一プーリの外周に導入される際に、第一プーリの縁を跨ぐ位置に第一フランジ部が張り出しているため、ベルトが直接第一プーリの縁に擦れて損傷するのを防止することができる。
【００１３】
また、ベルト保持部は、取付部の中央よりも切欠部側に突設されている。このため、ベルトをベルト保持部から第一プーリの外周に沿わせるまでの距離が短くなるので、ベルトを巻掛ける際のベルトに作用する張力を低くすることができ、巻掛け時の取付性を向上させることができる。
【００１４】
また、取付部は、前記第一プーリの外周に沿った円弧形状をしており、前記第一プーリの回転方向に起因する前記ベルトの取付方向の違いに対応できるように、前記円弧形状をした取付部の中央で面対称の形状をしていることを特徴としていてもよい。
【００１５】
上記の構成によれば、取付部は、第一プーリの外周に沿った円弧形状をしているため、第一プーリの外周に安定して取り付けることができる。そして、当該ベルト取付治具は、面対称の形状をしているため、第一プーリの回転方向に起因したベルトの取付方向の違いに対応することができる。
【００１６】
また、第２の発明は、第１の発明の何れかに係るベルト取付治具において、前記ベルト保持部は、前記第一プーリの側面に対して、垂直又は前記第一プーリの径外方向に鋭角を成すように傾斜していることを特徴としている。
【００１７】
上記の構成によれば、ベルト保持部は、第一プーリの側面に対して、垂直又は第一プーリの径外方向に鋭角を成すように傾斜しているため、ベルトをベルト保持部に巻掛けた際に、ベルトを滑らせることなく保持することができる。
【００１８】
また、第３の発明は、第１又は第２の発明の何れかに係るベルト取付治具において、前記第一プーリの側面に当接する当接面が前記第一フランジ部よりも内径側に配置された補強部を備えたことを特徴としている。
【００１９】
上記の構成によれば、第一プーリの側面に当接する当接面が第一フランジ部よりも内径側に配置された補強部を設けることにより、当該ベルト取付治具をより安定して第一プーリに装着することができる。
また、ベルトをベルト保持部に巻掛けた際に、ベルト保持部に過度の力がかかり折損の恐れがある。しかし、補強部を設けることで、ベルト保持部にかかる過度の力を分散することができ、ベルト保持部の折損を防止することができる。
【００２０】
また、第４の発明は、第１〜第３の発明の何れかに係るベルト取付治具において、前記外周部の裏面に設けられ、前記第一プーリの外周面に設けられた溝に嵌合する嵌合部を備えたことを特徴としている。
【００２１】
上記の構成によれば、取付部の外周部の裏面に、第一プーリの外周面に設けられた溝に嵌合する嵌合部を設けることにより、ベルト取付治具を第一プーリの外周に設置する際に、第一プーリの外周面に設けられた溝と嵌合部とを嵌合させて、ベルト取付治具を第一プーリに強固に固定することができる。
【００２２】
また、ベルト取付治具において、取付部には、前記ベルトが前記第一プーリの縁を跨ぐ位置に、前記ベルトと前記第一プーリの縁との接触を防止する損傷防止部が設けられており、前記ベルト保持部から巻掛けられた前記ベルトが前記損傷防止部を跨いで前記第一プーリの外周に導入されることを特徴としてもよい。
【００２３】
上記のように、取付部には、ベルトが第一プーリの縁を跨ぐ位置に、ベルトと第一プーリの縁との接触を防止する損傷防止部が設けられている。これによれば、ベルトが直接第一プーリの縁に擦れて損傷するのを防止することができる。
【００２４】
また、ベルト取付治具において、前記外周部は、前記ベルトの張力によって前記第一プーリの外周に対して押圧される押圧面を有しており、前記押圧面には、前記ベルトの内周面に設けられたリブに嵌合する溝部が形成されていてもよい。
【００２５】
上記の構成によれば、外周部の押圧面に、ベルトの内周面に設けられたリブに嵌合する溝部を形成することにより、ベルトを外周部の押圧面を介して第一プーリの外周に導入する際に、ベルトの内周面に設けられたリブと押圧面に形成された溝部とが嵌合して、ベルトがベルト取付治具から滑り外れるのを防止することができる。
【発明の効果】
【００２６】
ベルト取付治具をコンパクトな構成にするとともに、第一プーリと第二プーリの間に、周長方向に伸縮可能なベルトを、第一プーリと第二プーリの軸間距離を固定したまま巻掛ける際に作用するベルトの張力を下げて取付性を向上させたベルト取付治具を提供することができる。
【図面の簡単な説明】
【００２７】
【図１】第１実施形態に係るエンジン本体の部分斜視図である。
【図２】第１実施形態に係るクランクプーリの断面図である。
【図３】第１実施形態に係るベルト取付治具の斜視図である。
【図４】第１実施形態に係るベルト取付治具の六面図である。
【図５】第１実施形態に係るベルト取付治具をクランクプーリに装着した図である。
【図６】第１実施形態に係るベルト取付治具の使用方法の第一説明図である。
【図７】第１実施形態に係るベルト取付治具の使用方法の第二説明図である。
【図８】第１実施形態に係るベルト取付治具の使用方法の第三説明図である。
【図９】第１実施形態に係るベルト取付治具の使用方法の第四説明図である。
【図１０】リブを設けた第１実施形態に係るベルト取付治具の説明図である。
【図１１】溝部を設けた第１実施形態に係るベルト取付治具の説明図である。
【図１２】第２実施形態に係るベルト取付治具の斜視図である。
【図１３】第２実施形態に係るベルト取付治具の六面図である。
【図１４】ベルト保持部を傾斜させた第２実施形態に係るベルト取付治具の説明図である。
【図１５】補強部を設けた第２実施形態に係るベルト取付治具の説明図である。
【図１６】第３実施形態に係るベルト取付治具の斜視図である。
【図１７】第３実施形態に係るベルト取付治具の六面図である。
【図１８】第４実施形態に係るベルト取付治具の斜視図である。
【図１９】第４実施形態に係るベルト取付治具の六面図である。
【図２０】第４実施形態に係るベルト取付治具の使用方法の第一説明図である。
【図２１】第４実施形態に係るベルト取付治具の使用方法の第二説明図である。
【図２２】第４実施形態に係るベルト取付治具の使用方法の第三説明図である。
【図２３】第４実施形態に係るベルト取付治具の使用方法の第四説明図である。
【発明を実施するための形態】
【００２８】
（第１実施形態）
以下、図面を参照しつつ、本願発明の第１実施形態を説明する。本実施形態に係るベルト取付治具９は、クランクプーリ２とオルタネータのオルタネータプーリ３との間にＶリブドベルト４を巻掛けする際に使用する。先ず、図１を参照しつつ、クランクプーリ２とオルタネータプーリ３に対するＶリブドベルト４の巻掛けを説明し、図２を参照しつつ、クランクプーリ２の構造を説明する。
【００２９】
図１に示されるように、エンジン本体１には、エンジンのクランク軸に連結されるクランクプーリ２（第一プーリ）と、オルタネータの入力軸に連結されるオルタネータプーリ３（第二プーリ）と、が所定の軸間距離を隔てて回転自在に支持される。このクランクプーリ２とオルタネータプーリ３との間には、実線と破線で示すＶリブドベルト４が巻掛けされ、もって、クランク軸の動力が、クランクプーリ２、Ｖリブドベルト４、オルタネータプーリ３を順に介してオルタネータの入力軸に伝動されるようになっている。本実施形態では、クランクプーリ２とオルタネータプーリ３との間の軸間距離は変更不能とされ、また、図示するように、Ｖリブドベルト４に対して張力を付与する所謂オートテンショナ（張力付与手段）は搭載していない。
【００３０】
（クランクプーリ２の構造）
図２に示すように、クランクプーリ２は、Ｖリブドベルト４の内周面に形成されるリブ４ａ（ベルトの内周面に設けられたリブ）と嵌合可能なプーリ溝２ａ（第一プーリの外周面に設けられた溝）を有し、このプーリ溝２ａをプーリ軸方向で挟む一対のプーリフランジ２ｂ・２ｃ（第一プーリの縁）を備えている。このプーリフランジ２ｂ・２ｃは、図２の断面視で、上記プーリ溝２ａよりクランクプーリ２の径外方向へ若干、突出して形成されている。また、クランクプーリ２のボス部５には、エンジンの図示しないクランク軸が挿入される。符号２ｄ・２ｅは、クランクプーリ２の側面を示す。なお、上記のＶリブドベルト４は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。
【００３１】
なお、図１の太線矢印はＶリブドベルト４の走行方向を示し、この走行方向にＶリブドベルト４が走行するときのクランクプーリ２の回転方向を第一回転方向Ａと、この第一回転方向Ａと反対の方向を第二回転方向Ｂと、定義する。
【００３２】
（ベルト取付治具９の構成）
次に、図３〜４を参照しつつ、本実施形態に係るベルト取付治具９の構成を説明する。図３は、本発明の第１実施形態に係るベルト取付治具９の斜視図である。図３（ａ）〜（ｄ）は、夫々、上記ベルト取付治具９を異なる方向から見た斜視図である。図４は、本発明の第１実施形態に係るベルト取付治具９の六面図である。図５は、ベルト取付治具９をクランクプーリ２に装着した図である。
【００３３】
図３〜４には、コンパクトであってまとまりよく、一体的に形成されたベルト取付治具９が様々な方向から描かれている。
【００３４】
図３及び図５に示されるように、ベルト取付治具９は、クランクプーリ２の外周及び両側面２ｄ・２ｅを覆って取り付けられる取付部１１と、取付部１１から突設されたベルト保持部１２とを主たる構成として備える。このベルト取付治具９は、クランクプーリ２幅に略等しく、図５に示すように、クランクプーリ２の外周に当接して使用するものであって、ベルト保持部１２が図５に示されるクランクプーリ２の側面２ｄ側に位置するように向きを定めて用いる。
【００３５】
取付部１１は、クランクプーリ２の外周に沿う外周部１３と、外周部１３の一端からクランクプーリ２の側面２ｄに沿う第一フランジ部１４と、外周部１３の他端からクランクプーリ２の側面２ｅに沿う第二フランジ部１５とから構成されている。また、取付部１１には、Ｖリブドベルト４がクランクプーリ２のプーリフランジ２ｂを跨ぐ位置に、Ｖリブドベルト４とプーリフランジ２ｂとの接触を防止する損傷防止部１６・１７が設けられている。
【００３６】
外周部１３は、図５に示すようにベルト取付治具９がクランクプーリ２の外周に当接された状態で、プーリ溝２ａ（外周）を覆う。この外周部１３は、クランクプーリ２のプーリ溝２ａに沿うように円弧形状に湾曲され、少なくともＶリブドベルト４のベルト幅４ｗ以上の幅を有している。
【００３７】
第一フランジ部１４は、外周部１３をクランクプーリ２の外周に当接させたとき、図５に示されるクランクプーリ２の側面２ｄに対して当接ないし密着するよう、外周部１３の一端からクランクプーリ２の軸に向かって延在する。外周部１３及び第一フランジ部１４において、Ｖリブドベルト４と接触する損傷防止部１６・１７は面取りがなされて曲面形状になっている。これは、Ｖリブドベルト４巻掛け時にＶリブドベルト４を損傷させないために設けている。また、第二フランジ部１５も同様に、外周部１３をクランクプーリ２の外周に当接させたとき、図５に示されるクランクプーリ２の側面２ｅに対して当接ないし密着するよう、外周部１３の他端からクランクプーリ２の軸に向かって延在する。
【００３８】
ベルト保持部１２は、図５に示すように、クランクプーリ２外周よりも内径側で第一フランジ部１４から突設されている。具体的には、ベルト保持部１２は、図６に示すように、Ｖリブドベルト４をベルト保持部１２を介してクランクプーリ２の外周に導入する際に、Ｖリブドベルト４の内周面がベルト保持部１２の保持面１２ｃに当たり、Ｖリブドベルト４の側面が第一フランジ部１４に当たることによって、ベルト保持部１２に保持されたＶリブドベルト４の位置とクランクプーリ２の外周部に導入されたＶリブドベルト４の位置との間で段差を形成するように突設している。即ち、このベルト保持部１２は、巻掛け時に、クランクプーリ２の側面２ｄからクランクプーリ２の外周に導入されるＶリブドベルト４を屈曲させてクランクプーリ２の外周に沿わせる役割を果たす。なお、Ｖリブドベルト４巻掛け時に、Ｖリブドベルト４と接触するベルト保持部１２の両縁１２ａ・１２ｂは、面取りがなされて曲面形状になっている。これは、Ｖリブドベルト４巻掛け時にＶリブドベルト４を損傷させないために設けられている。
【００３９】
また、上記で説明したベルト取付治具９は、図４に示すように、クランクプーリ２の回転方向（第一回転方向Ａと第二回転方向Ｂ）に起因するＶリブドベルト４の取付方向の違いに対応できるように、円弧形状をした取付部１１の外周部１３の中央の面Ｍで面対称の形状をしている。このようにベルト取付治具９を面対称構造とすることで、Ｖリブドベルト４がクランクプーリ２の側面２ｄからベルト保持部１２の縁１２ｂ及び損傷防止部１６を介してクランクプーリ２の外周に導入される取付方向、及び、その逆でＶリブドベルト４がクランクプーリ２の側面２ｄからベルト保持部１２の縁１２ａ及び損傷防止部１７を介してクランクプーリ２の外周に導入される取付方向の両方の取付方向に対応して使用することができる。
【００４０】
（ベルト取付治具９の使用方法）
次に、図６〜図９を参照しつつ、上記のベルト取付治具９の使用方法を説明する。図６は、ベルト取付治具９の使用方法の第一説明図である。図７は、ベルト取付治具９の使用方法の第二説明図である。図８は、ベルト取付治具９の使用方法の第三説明図である。図９は、ベルト取付治具９の使用方法の第四説明図である。
【００４１】
先ず、図６に示されるように、クランクプーリ２のボス部５にレンチ３７の円筒形状である連結部３７ａを連結し、クランクプーリ２を手動で自由に回転できるようにする。
【００４２】
＜手順（ａ）＞
次に、図５に示すように、ベルト取付治具９の外周部１３がクランクプーリ２の外周に沿うように、第一フランジ部１４及び第二フランジ部１５をクランクプーリ２の側面２ｄ・２ｅに当接させる。
【００４３】
＜手順（ｂ）＞
この状態で、図６に示すように、Ｖリブドベルト４をオルタネータプーリ３に巻掛けする。そして、Ｖリブドベルト４をクランクプーリ２の側面２ｄ上を通ってベルト保持部１２の縁１２ｂで屈曲させてＶリブドベルト４の内周面がベルト保持部１２の保持面１２ｃに当接するように巻掛ける。更に、Ｖリブドベルト４の側面を第一フランジ部１４に当接させた後、損傷防止部１６を跨がせたうえで外周部１３上を交差させてクランクプーリ２の外周に沿わせる。詳しくは、オルタネータプーリ３に巻掛けしたＶリブドベルト４は、Ｖリブドベルト４の移動方向と反対の方向に順に、即ち、ベルト取付治具９、クランクプーリ２のプーリ溝２ａに対してこの順番で巻掛けられる。この結果、Ｖリブドベルト４は、ベルト保持部１２とクランクプーリ２の外周との間で段差が形成されるように巻掛けられることになる。
【００４４】
＜手順（ｃ）＞
次に、図７に示すように、レンチ３７を用いてクランクプーリ２を第一回転方向Ａに回転させる。
【００４５】
詳しくは、先ず、図６の状態から図７の状態となるようにクランクプーリ２を、第一回転方向Ａに回転させる。すると、Ｖリブドベルト４には、伸張されることにより高い張力が発生する。上記張力は、Ｖリブドベルト４が外周部１３上を交差しているので外周部１３をクランクプーリ２の外周に対して押圧する押圧作用として働き、ベルト取付治具９とクランクプーリ２とをより強固に固定する。
【００４６】
継続して、図７の状態から図８の状態となるようにクランクプーリ２を、第一回転方向Ａに回転させる。そして、更に、図８の状態から図９の状態となるようにクランクプーリ２を、第一回転方向Ａに回転させると、ベルト取付治具９のベルト保持部１２に巻掛けられていたＶリブドベルト４が損傷防止部１６を乗り越えて、外周部１３上に移動する。
【００４７】
詳しくは、クランクプーリ２を、第一回転方向Ａに回転させると、クランクプーリ２のプーリ溝２ａに対するＶリブドベルト４のリブ４ａの嵌合の領域が徐々に広範になる。
【００４８】
更に、クランクプーリ２を、第一回転方向Ａに回転させる。すると、外周部１３上のＶリブドベルト４が外周部１３を離れてクランクプーリ２の外周へと移動する。この移動後、ベルト取付治具９をクランクプーリ２の外周から回収する。
【００４９】
以上説明したように、本実施形態に係るベルト取付治具９によれば、取付部１１の外周部１３両端に設けられた第一フランジ部１４及び第二フランジ部１５をクランクプーリ２の両側面２ｄ・２ｅに沿わせることによりクランクプーリ２の外周に当該ベルト取付治具９を安定して設置することができる。
【００５０】
また、ベルト保持部１２が、取付部１１のクランクプーリ２の側面２ｄ側において、クランクプーリ２の外周よりも内径側で突設されているため、Ｖリブドベルト４をベルト保持部１２を介してクランクプーリ２の外周に導入する際に、Ｖリブドベルト４の内周面がベルト保持部１２に当たり、Ｖリブドベルト４の側面が第一フランジ部１４に当たって、ベルト保持部１２に保持されたＶリブドベルト４の位置とクランクプーリ２の外周部に導入されたＶリブドベルト４の位置との間で段差を形成するようにしてクランクプーリ２の外周に導入することができる。これによれば、ベルト保持部１２がクランクプーリ２の外周よりも径外方向に張り出した形状をしているベルト取付治具に比べて、Ｖリブドベルト４をクランクプーリ２及びオルタネータプーリ３に巻掛ける際のＶリブドベルト４の張力を下げることができる。これにより、Ｖリブドベルト４をクランクプーリ２及びオルタネータプーリ３に巻掛ける際に必要な力を低減して、Ｖリブドベルト４を巻掛け易くすることができる。
【００５１】
また、当該ベルト取付治具９は、クランクプーリ２の外周に設置した状態で、ベルト保持部１２がクランクプーリ２の径外方向に張り出していないコンパクトな構成をしているので、クランクプーリ２の外周側に物理的空間の余裕がない場合でも使用が可能である。
【００５２】
また、上記のベルト取付治具９によれば、取付部１１が、クランクプーリ２の外周に沿った円弧形状をしているため、クランクプーリ２の外周に対して安定して取り付けることができる。そして、当該ベルト取付治具９は、面対称の形状をしているため、クランクプーリ２の回転方向（第一回転方向Ａ、第二回転方向Ｂ）に起因したＶリブドベルト４の取付方向の違いに対応することができる。
【００５３】
また、上記のように、取付部１１には、Ｖリブドベルト４がクランクプーリ２のプーリフランジ２ｂを跨ぐ位置に、Ｖリブドベルト４とプーリフランジ２ｂとの接触を防止する損傷防止部１６・１７が設けられている。これによれば、Ｖリブドベルト４が直接プーリフランジ２ｂに擦れて損傷するのを防止することができる。
【００５４】
以上、第１実施形態に係るベルト取付治具９について説明したが、本発明は更に下記構成を追加して実施してもよい。
【００５５】
例えば、図１０に示すように、ベルト取付治具９において、取付部１１の外周部１３の裏面１３ｂに、クランクプーリ２の外周面に設けられたプーリ溝２ａに嵌合するリブ２０（嵌合部）を設けた構成としてもよい。
【００５６】
上記の構成によれば、取付部１１の外周部１３の裏面１３ｂに、クランクプーリ２の外周面に設けられたプーリ溝２ａに嵌合するリブ２０を設けることにより、ベルト取付治具９をクランクプーリ２の外周に設置する際に、クランクプーリ２の外周面に設けられたプーリ溝２ａとリブ２０とを嵌合させて、ベルト取付治具９をクランクプーリ２に強固に固定することができる。
【００５７】
また、図１１に示すように、ベルト取付治具９において、取付部１１の外周部１３には、巻掛け時にＶリブドベルト４の張力によってクランクプーリ２の外周に対して押圧される押圧面１３ａが設けられており、その押圧面１３ａには、Ｖリブドベルト４の内周面に形成されたリブ４ａと嵌合可能な溝部１３ｃが形成されていてもよい。ここで、溝部１３ｃは、図１１に示すように、外周部１３の各々の側端部１３ｅ・１３ｆから第一フランジ部１４にかけて傾斜したラインを描くように形成されている。こうすることで、Ｖリブドベルト４を溝部１３ｃにスムーズに沿わせることができる。
【００５８】
上記の構成によれば、取付部１１の外周部１３の押圧面１３ａに、Ｖリブドベルト４の内周面に設けられたリブ４ａに嵌合する溝部１３ｃを形成することにより、Ｖリブドベルト４を外周部１３の押圧面１３ａを介してクランクプーリ２の外周に導入する際に、Ｖリブドベルト４の内周面に設けられたリブ４ａと押圧面１３ａに形成された溝部１３ｃとが嵌合して、Ｖリブドベルト４がベルト取付治具９から滑り外れるのを防止することができる。
【００５９】
（第２実施形態）
次に、図１２及び図１３を参照しつつ、第２実施形態に係るベルト取付治具２０９の構成を説明する。第１実施形態に係るベルト取付治具９は面対称構造をしていたが、第２実施形態に係るベルト取付治具２０９は面対称構造とはせずに、しかも、損傷防止部を設けない構造としている。なお、第１実施形態と同様の箇所は説明を省略して説明する。図１２（ａ）〜（ｂ）は、夫々、上記ベルト取付治具２０９を異なる方向から見た斜視図である。図１３は、第２実施形態に係るベルト取付治具２０９の六面図である。
【００６０】
図１２及び図１３には、コンパクトであってまとまりよく、一体的に形成されたベルト取付治具２０９が様々な方向から描かれている。
【００６１】
図１２及び図１３に示すように、ベルト取付治具２０９は、クランクプーリ２の外周及び両側面２ｄ・２ｅを覆って取り付けられる取付部２１１と、取付部２１１から突設されたベルト保持部２１２とを主たる構成として備える。ベルト取付治具２０９は、左右面対称となったベルト取付治具９の半分の形状に近い構成をしている。
【００６２】
取付部２１１は、クランクプーリ２の外周に沿う外周部２１３と、外周部２１３の一端からクランクプーリ２の側面２ｄに沿う第一フランジ部２１４と、外周部２１３の他端からクランクプーリ２の側面２ｅに沿う第二フランジ部２１５とから構成されている。外周部２１３は、ベルト取付治具２０９がクランクプーリ２の外周に当接された状態で、プーリ溝２ａ（外周）を覆う。この外周部２１３は、円弧形状に湾曲されているが、その長さはベルト取付治具９の外周部１３のおよそ半分である。第一フランジ部２１４は、外周部２１３をクランクプーリ２の外周に当接させたとき、クランクプーリ２の側面２ｄに対して当接ないし密着するよう、外周部２１３の一端からクランクプーリ２の軸に向かって延在する。また、第二フランジ部２１５も同様に、外周部２１３をクランクプーリ２の外周に当接させたとき、クランクプーリ２の側面２ｅに対して当接ないし密着するよう、外周部２１３の他端からクランクプーリ２の軸に向かって延在する。なお、第２実施形態では、損傷防止部を設けていない分だけよりコンパクトな構成とすることができる。
【００６３】
ベルト保持部２１２は、クランクプーリ２外周よりも内径側で第一フランジ部２１４から突設されている。このベルト保持部２１２の大きさは、ベルト取付治具９のベルト保持部１２のおよそ半分であり、第一フランジ部２１４に対して垂直に突設されている。そして、ベルト保持部２１２は、Ｖリブドベルト４を、ベルト保持部２１２を介してクランクプーリ２の外周に導入する際に、Ｖリブドベルト４の内周面がベルト保持部２１２の保持面２１２ｃに当たり、Ｖリブドベルト４の側面が第一フランジ部２１４に当たって、ベルト保持部２１２に保持されたＶリブドベルト４の位置とクランクプーリ２の外周部に導入されたＶリブドベルト４の位置との間で段差を形成するように突設している。このベルト保持部２１２は、巻掛け時に、クランクプーリ２の側面２ｄからクランクプーリ２の外周に導入されるＶリブドベルト４を屈曲させてクランクプーリ２の外周に沿わせる役割を果たす。なお、Ｖリブドベルト４巻掛け時に、Ｖリブドベルト４と接触するベルト保持部２１２の縁２１２ａは、面取りがなされて曲面形状になっている。これは、Ｖリブドベルト４巻掛け時にＶリブドベルト４を損傷させないために設けられている。
【００６４】
以上、第２実施形態に係るベルト取付治具２０９について説明したが、本発明は更に下記構成を追加して実施してもよい。
【００６５】
例えば、図１４に示すように、ベルト保持部２１２を、第一フランジ部２１４に対して、クランクプーリ２の径外方向に鋭角αを成すように傾斜させてもよい。
【００６６】
上記の構成によれば、ベルト保持部２１２を、クランクプーリ２の側面２ｄに対して、クランクプーリ２の径外方向に鋭角αを成すように傾斜させることができるため、Ｖリブドベルト４をベルト保持部２１２に巻掛けた際に、Ｖリブドベルト４を滑らせることなく保持することができる。なお、ここで径外方向とは、ベルト取付治具２０９がクランクプーリ２に装着された状態で、クランクプーリ２の軸から外周に向かう方向のことをいう。
【００６７】
また、図１５（ａ）（ｂ）に示すように、ベルト取付治具２０９に、クランクプーリ２の側面２ｄに当接する当接面２３０ａが第一フランジ部２１４よりも内径側に配置された補強部２３０を更に備えさせた構成としてもよい。
【００６８】
上記の構成によれば、クランクプーリ２の側面２ｄに当接する当接面２３０ａが第一フランジ部２１４よりも内径側に配置された補強部２３０を設けることにより、当該ベルト取付治具２０９をより安定してクランクプーリ２に装着することができる。また、Ｖリブドベルト４をベルト保持部２１２に巻掛けた際に、ベルト保持部２１２に過度の力がかかり折損の恐れがあるが、補強部２３０を設けることで、ベルト保持部２１２にかかる過度の力を分散することができ、ベルト保持部２１２の折損を防止することができる。
【００６９】
（第３実施形態）
次に、図１６及び図１７を参照しつつ、第３実施形態に係るベルト取付治具３０９の構成を説明する。なお、第１実施形態及び第２実施形態と同様の箇所は説明を省略して説明する。図１６は、上記ベルト取付治具３０９の斜視図である。図１７は、第３実施形態に係るベルト取付治具３０９の六面図である。
【００７０】
図１６及び図１７に示されるように、ベルト取付治具３０９は、クランクプーリ２の外周及び両側面２ｄ・２ｅを覆って取り付けられる取付部３１１と、取付部３１１から突設されたベルト保持部３１２と、ベルト保持部３１２から突設された補強部３３０とを主たる構成として備える。
【００７１】
取付部３１１は、クランクプーリ２の外周に沿う外周部３１３と、外周部３１３の一端からクランクプーリ２の側面２ｄに沿う第一フランジ部３１４と、外周部３１３の他端からクランクプーリ２の側面２ｅに沿う第二フランジ部３１５とから構成されている。第一フランジ部３１４は、外周部３１３をクランクプーリ２の外周に当接させたとき、クランクプーリ２の側面２ｄに対して当接ないし密着するよう、外周部３１３の一端３１３ａからクランクプーリ２の軸に向かって延在する。また、第二フランジ部３１５も同様に、外周部３１３をクランクプーリ２の外周に当接させたとき、クランクプーリ２の側面２ｅに対して当接ないし密着するよう、外周部３１３の他端３１３ｂからクランクプーリ２の軸に向かって延在する。
【００７２】
ベルト保持部３１２は、クランクプーリ２外周よりも内径側で第一フランジ部３１４の端部３１４ａから突設されている。具体的には、ベルト保持部３１２は、Ｖリブドベルト４を、ベルト保持部３１２を介してクランクプーリ２の外周に導入する際に、Ｖリブドベルト４の内周面がベルト保持部３１２の保持面３１２ｃに当たり、Ｖリブドベルト４の側面が第一フランジ部３１４に当たって、Ｖリブドベルト４がベルト保持部３１２とクランクプーリ２の外周との間で段差を形成するように突設している。
【００７３】
補強部３３０は、ベルト保持部３１２の頂部３１２ｅから、その当接面３３０ａがクランクプーリ２の側面２ｄに当接するように側面２ｄ向かって傾斜している。こうすることにより、クランクプーリ２の側面２ｄに当接する当接面３３０ａが第一フランジ部３１４よりも内径側に配置されることになる。
【００７４】
更に、上記で説明したベルト取付治具３０９は、一枚の鉄板により製作可能となっている。即ち、ベルト取付治具３０９は、外周部３１３の他端３１３ｂで９０°に折り曲げることで、外周部３１３と第二フランジ部３１５とを分ける。また、外周部３１３の一端３１３ａで９０°に折り曲げることで、外周部３１３と第一フランジ部３１４とを分ける。また、第一フランジ部３１４の端部３１４ａで９０°に折り曲げることで、第一フランジ部３１４とベルト保持部３１２とを分ける。更に、ベルト保持部３１２の頂部３１２ｅで鋭角に折り曲げることで、ベルト保持部３１２と補強部３３０とを分ける。このように、一枚の板を逐次折り曲げていくことで第３実施形態に係るベルト取付治具３０９を製作することができる。これによれば、より安価で簡単に本発明に係るベルト取付治具３０９を製作することができる。
【００７５】
（第４実施形態）
次に、図１８及び図１９を参照しつつ、第４実施形態に係るベルト取付治具４０９の構成を説明する。なお、第１実施形態と同様の箇所は説明を省略して説明する。図１８（ａ）〜（ｂ）は、夫々、上記ベルト取付治具４０９を異なる方向から見た斜視図である。図１９は、第４実施形態に係るベルト取付治具４０９の六面図である。
【００７６】
（ベルト取付治具４０９の構成）
図１８及び図１９に示されるように、ベルト取付治具４０９は、クランクプーリ２の外周及び両側面２ｄ・２ｅを覆って取り付けられる取付部４１１と、取付部４１１から突設されたベルト保持部４１２とを主たる構成として備える。このベルト取付治具４０９は、クランクプーリ２幅に略等しく、クランクプーリ２の外周に当接して使用するものであって、ベルト保持部４１２がクランクプーリ２の側面２ｄ側に位置するように向きを定めて用いる。
【００７７】
取付部４１１は、クランクプーリ２の外周に沿う外周部４１３と、外周部４１３の一端からクランクプーリ２の側面２ｄに沿う第一フランジ部４１４と、外周部４１３の他端からクランクプーリ２の側面２ｅに沿う第二フランジ部４１５とから構成されている。
【００７８】
外周部４１３は、ベルト取付治具４０９がクランクプーリ２の外周に当接された状態で、プーリ溝２ａ（外周）を覆う。この外周部４１３は、クランクプーリ２のプーリ溝２ａに沿うように円弧形状に湾曲され、少なくともＶリブドベルト４のベルト幅４ｗ以上の幅を有している。
【００７９】
また、外周部４１３の外周方向の一方の端部には、図１８に示すように、Ｖリブドベルト４をクランクプーリ２の外周に導入するためのコの字状に切り欠いた切欠部４１３ｄが設けられている。
【００８０】
第一フランジ部４１４は、外周部４１３をクランクプーリ２の外周に当接させたとき、クランクプーリ２の側面２ｄに対して当接ないし密着するよう、外周部４１３の一端からクランクプーリ２の軸に向かって延在する。また、第二フランジ部４１５も同様に、外周部４１３をクランクプーリ２の外周に当接させたとき、クランクプーリ２の側面２ｅに対して当接ないし密着するよう、外周部４１３の他端からクランクプーリ２の軸に向かって延在する。
【００８１】
また、第一フランジ部４１４及び第二フランジ部４１５は、それぞれ切欠部４１３ｄを挟むように張り出した第一フランジ張出部４１４ａ及び第二フランジ張出部４１５ａを有している。ここで、第一フランジ張出部４１４ａは、Ｖリブドベルト４がベルト保持部４１２からクランクプーリ２のプーリフランジ２ｂを跨いで切欠部４１３ｄを通ってクランクプーリ２の外周に導入される際に、Ｖリブドベルト４がプーリフランジ２ｂを跨ぐ位置に張り出している。すなわち、第一フランジ張出部４１４ａは、Ｖリブドベルト４がプーリフランジ２ｂに直接接触するのを防止する役割を果たす。
【００８２】
ベルト保持部４１２は、クランクプーリ２外周よりも内径側、かつ、円弧形状をした取付部４１１の外周部４１３の中央の面Ｍよりも切欠部４１３ｄ側で第一フランジ部４１４から突設されている。具体的には、ベルト保持部４１２は、図２０に示すように、Ｖリブドベルト４をベルト保持部４１２を介してクランクプーリ２の外周に導入する際に、Ｖリブドベルト４の内周面がベルト保持部４１２の保持面４１２ｃに当たり、Ｖリブドベルト４の側面が第一フランジ部４１４に当たることによって、ベルト保持部４１２に保持されたＶリブドベルト４の位置とクランクプーリ２の外周部に導入されたＶリブドベルト４の位置との間で段差を形成するように突設している。即ち、このベルト保持部４１２は、巻掛け時に、クランクプーリ２の側面２ｄからクランクプーリ２の外周に導入されるＶリブドベルト４を屈曲させてクランクプーリ２の外周に沿わせる役割を果たす。なお、Ｖリブドベルト４巻掛け時に、Ｖリブドベルト４と接触するベルト保持部４１２の両縁４１２ａ・４１２ｂは、面取りがなされて曲面形状になっている。これは、Ｖリブドベルト４巻掛け時にＶリブドベルト４を損傷させないために設けられている。
【００８３】
（ベルト取付治具４０９の使用方法）
次に、図２０〜図２３を参照しつつ、上記のベルト取付治具４０９の使用方法を説明する。
【００８４】
先ず、図２０に示されるように、クランクプーリ２のボス部５にレンチ３７を連結し、クランクプーリ２を手動で自由に回転できるようにする。
【００８５】
＜手順（ａ）＞
次に、ベルト取付治具４０９の外周部４１３がクランクプーリ２の外周に沿うように、第一フランジ部４１４及び第二フランジ部４１５をクランクプーリ２の側面２ｄ・２ｅに当接させる。
【００８６】
＜手順（ｂ）＞
この状態で、図２０に示すように、Ｖリブドベルト４をオルタネータプーリ３に巻掛けする。そして、Ｖリブドベルト４をクランクプーリ２の側面２ｄ上を通ってベルト保持部４１２の縁４１２ｂで屈曲させてＶリブドベルト４の内周面がベルト保持部４１２の保持面４１２ｃに当接するように巻掛ける。更に、Ｖリブドベルト４の側面を第一フランジ部４１４に当接させた後、第一フランジ張出部４１４ａを跨がせたうえで切欠部４１３ｄを通らせてクランクプーリ２の外周に沿わせる。詳しくは、オルタネータプーリ３に巻掛けしたＶリブドベルト４は、Ｖリブドベルト４の移動方向と反対の方向に順に巻掛けられる。この結果、Ｖリブドベルト４は、ベルト保持部４１２とクランクプーリ２の外周との間で段差が形成されるように巻掛けられることになる。
【００８７】
＜手順（ｃ）＞
次に、図２１に示すように、レンチ３７を用いてクランクプーリ２を第一回転方向Ａに回転させる。
【００８８】
詳しくは、先ず、図２０の状態から図２１の状態となるようにクランクプーリ２を、第一回転方向Ａに回転させる。すると、Ｖリブドベルト４には、伸張されることにより高い張力が発生する。上記張力は、Ｖリブドベルト４が外周部４１３上を交差しているので外周部４１３をクランクプーリ２の外周に対して押圧する押圧作用として働き、ベルト取付治具４０９とクランクプーリ２とをより強固に固定する。
【００８９】
継続して、図２１の状態から図２２の状態となるようにクランクプーリ２を、第一回転方向Ａに回転させる。そして、更に、図２２の状態から図２３の状態となるようにクランクプーリ２を、第一回転方向Ａに回転させると、ベルト取付治具４０９のベルト保持部４１２に巻掛けられていたＶリブドベルト４が第一フランジ張出部４１４ａを乗り越えて、外周部４１３上に移動する。
【００９０】
詳しくは、クランクプーリ２を、第一回転方向Ａに回転させると、クランクプーリ２のプーリ溝２ａに対するＶリブドベルト４のリブ４ａの嵌合の領域が徐々に広範になる。
【００９１】
更に、クランクプーリ２を、第一回転方向Ａに回転させる。すると、外周部４１３上のＶリブドベルト４が外周部４１３を離れてクランクプーリ２の外周へと移動する。この移動後、ベルト取付治具４０９をクランクプーリ２の外周から回収する。
【００９２】
以上説明したように、本実施形態に係るベルト取付治具４０９によれば、外周部４１３の外周方向の一方の端部には、Ｖリブドベルト４をクランクプーリ２の外周に導入する切欠部４１３ｄが設けられているため、Ｖリブドベルト４をクランクプーリ２に巻掛ける際に、Ｖリブドベルト４をベルト保持部４１２から切欠部４１３ｄを通らせてクランクプーリ２の外周に導入することができる。これにより、切欠部４１３ｄがない場合に比べて、Ｖリブドベルト４をベルト保持部４１２からクランクプーリ２の外周に沿わせるまでの距離が短くなるので、Ｖリブドベルト４を巻掛ける際のＶリブドベルト４に作用する張力を低くすることができ、巻掛け時の取付性を向上させることができる。また、Ｖリブドベルト４をベルト保持部４１２から切欠部４１３ｄを通らせて直ぐにクランクプーリ２の外周に導入することができるので、Ｖリブドベルト４がベルト取付治具４０９から滑り外れるのを防止することができる。
【００９３】
また、第一フランジ部４１４及び第二フランジ部４１５は、切欠部４１３ｄを挟むように張り出している。このため、第一フランジ部４１４及び第二フランジ部４１５の張り出し部分（第一フランジ張出部４１４ａ及び第二フランジ張出部４１５ａ）がクランクプーリ２の側面２ｄ・２ｅに当接することになり、安定してベルト取付治具４０９をクランクプーリ２に固定することができる。また、Ｖリブドベルト４がベルト保持部４１２からクランクプーリ２の側面２ｄを跨いで切欠部４１３ｄを通ってクランクプーリ２の外周に導入される際に、クランクプーリ２の側面２ｄを跨ぐ位置に第一フランジ張出部４１４ａが張り出しているため、Ｖリブドベルト４が直接クランクプーリ２の側面２ｄに擦れて損傷するのを防止することができる。
【００９４】
また、ベルト保持部４１２は、取付部４１１の外周部４１３の中央の面Ｍよりも切欠部４１３ｄ側に突設されている。このため、Ｖリブドベルト４をベルト保持部４１２からクランクプーリ２の外周に沿わせるまでの距離が短くなるので、Ｖリブドベルト４を巻掛ける際のＶリブドベルト４に作用する張力を低くすることができ、巻掛け時の取付性を向上させることができる。
【００９５】
以上、本発明の実施形態について説明したが、本発明は上述の実施の形態に限られるものではなく、特許請求の範囲に記載した限りにおいて様々に変更して実施することができるものである。
【符号の説明】
【００９６】
１  エンジン本体
２  クランクプーリ
２ａ  プーリ溝
２ｂ・２ｃ  プーリフランジ
２ｄ・２ｅ  クランクプーリ２の側面
３  オルタネータプーリ
４  Ｖリブドベルト
４ａ  リブ
９  ベルト取付治具
１１  取付部
１２  ベルト保持部
１２ａ・１２ｂ  ベルト保持部の縁
１２ｃ  保持面
１３  外周部
１４  第一フランジ部
１５  第二フランジ部
１６・１７  損傷防止部
Ａ  第一回転方向
Ｂ  第二回転方向
【図１】
0005695463.tif 000002
【図２】
0005695463.tif 000003
【図３】
0005695463.tif 000004
【図４】
0005695463.tif 000005
【図５】
0005695463.tif 000006
【図６】
0005695463.tif 000007
【図７】
0005695463.tif 000008
【図８】
0005695463.tif 000009
【図９】
0005695463.tif 000010
【図１０】
0005695463.tif 000011
【図１１】
0005695463.tif 000012
【図１２】
0005695463.tif 000013
【図１３】
0005695463.tif 000014
【図１４】
0005695463.tif 000015
【図１５】
0005695463.tif 000016
【図１６】
0005695463.tif 000017
【図１７】
0005695463.tif 000018
【図１８】
0005695463.tif 000019
【図１９】
0005695463.tif 000020
【図２０】
0005695463.tif 000021
【図２１】
0005695463.tif 000022
【図２２】
0005695463.tif 000023
【図２３】
0005695463.tif 000024